(57)【要約】【課題】糸付き釣針の糸の長さの調整を容易にすること【解決手段】釣針収容袋１００は、厚紙２０を長方形の袋状に折り曲げたものであり、釣針１１を引っ掛ける針掛部２１と、糸付き釣針１０の糸１２を保持する案内部２２と、糸付き釣針１０の糸１２を切断できるように形成された窓部２３ａ、２３ｂ、２３ｃとを備えている。釣り人は、狙う魚種や、釣り場の状況によって、窓部２３ａ、２３ｂ、２３ｃのうち適当な窓部で糸１２を切ることによって、糸付き釣針１０の糸１２を窓部２３ａ、２３ｂ、２３ｃで設定された所望の長さに切断することができる。【選択図】図１
2008306971.tif 000002
【特許請求の範囲】
【請求項１】
糸付きの釣針を収納する釣針収容袋であって、
前記釣針収容袋は、前記釣針を引っ掛ける針掛部と、
前記針掛部に引っ掛けた釣針から予め定めた経路で糸付き釣針の糸を保持する案内部と、
前記案内部によって定められる糸付き釣針の糸の経路において、前記釣針からの糸付き釣針の糸の長さが予め定めた長さとなる位置に、前記糸付き釣針の糸を切断できるように形成された窓部とを備えたことを特徴とする、釣針収容袋。
【請求項２】
前記窓部は、釣針収容袋の側縁部に形成された、請求項１に記載の釣針収容袋。
【請求項３】
前記窓部は、釣針収容袋の表面又は裏面に形成された、請求項１に記載の釣針収容袋。
【請求項４】
前記窓部の両側に前記糸付き釣針の糸を保持する保持部を備えた、請求項１から３の何れかに記載の釣針収容袋。
【請求項５】
前記釣針収容袋の表面又は裏面において、前記窓部の近傍に、当該窓部における釣針からの糸付き釣針の糸の長さが表示されている、請求項１から４の何れかに記載の釣針収容袋。
【請求項６】
前記釣針収容袋は厚紙を袋状に折り曲げて形成されており、前記窓部は当該厚紙を切り欠いて形成されている、請求項１から５の何れかに記載の釣針収容袋。
【発明の詳細な説明】
【技術分野】
【０００１】
本発明は糸付きの釣針を収納する釣針収容袋に関する。
【背景技術】
【０００２】
従来、糸付き釣針（ハリス付き釣針）は、厚紙を袋状に折り曲げた釣針収容袋に収容されている。この際、糸付き釣針は、予め決まった長さに切断されて収容されている場合が多い。かかる釣針収容袋は、さらにセロハン等の包装袋に収納されている。釣り人は、かかる釣針収容袋から糸付き釣針を１本ずつ取り出して使用している。かかる釣針収容袋については、例えば、特開２００４−３１３０６７号公報などに開示されている。
【０００３】
また、かかる糸付き釣針（ハリス付き釣針）は、例えば、釣用の仕掛けに用いられる。具体的には、特開２００６−３４２０３号公報や特開平８−８９１４４号公報に開示されているように、いわゆる幹糸から枝分かれして枝糸を取り付け、当該枝糸に釣針を付けたような仕掛けにおいて、釣針を備えた枝糸として用いることがある。
【０００４】
また、特開平８−８９１４４号公報に記載されているように、実際に使用する際、釣り人は、糸付き釣針の糸（ハリス）を用途に応じて必要な長さに切って使用する場合がある。例えば、狙う魚種や、釣り場の状況などに応じて、枝糸の長さを調整して、幹糸から釣針までの距離を調整する。
【特許文献１】特開２００４−３１３０６７号公報
【特許文献２】特開２００６−３４２０３号公報
【特許文献３】特開平８−８９１４４号公報
【発明の開示】
【発明が解決しようとする課題】
【０００５】
釣針収容袋に収容されている糸付き釣針は、種々の用途で利用可能なように、糸付き釣針の糸は、釣針の用途に応じて予め余裕のある長さで収容されている。釣り人は、仕掛けを作る際に、糸を切って糸の長さを調整して使用している。釣針収容袋から糸を取り出し、１本１本、糸を切って糸の長さを調整する作業は煩わしい場合もある。
【課題を解決するための手段】
【０００６】
本発明に係る釣針収容袋は、糸付きの釣針を収納する釣針収容袋であって、釣針収容袋は、釣針を引っ掛ける針掛部と、針掛部に引っ掛けた釣針から予め定めた経路で糸付き釣針の糸を保持する案内部と、案内部によって定められる糸付き釣針の糸の経路において、釣針からの糸付き釣針の糸の長さが予め定めた長さとなる位置に、糸付き釣針の糸を切断できるように形成された窓部とを備えている。
【０００７】
当該釣針収容袋によれば、案内部によって定められる糸の経路において針掛部に引っ掛けた釣針から予め定めた長さの位置で、糸を切断し得るように糸を釣針収容袋から露出させる窓部を備えているので、当該窓部で糸を切断することによって、糸付き釣針の糸の長さの調整が容易に行える。
【０００８】
窓部は、釣針収容袋の側縁部に形成されていてもよい。また、窓部は、釣針収容袋の外側面に形成されていてもよい。また、釣針収容袋は、窓部の両側に糸付き釣針の糸を保持する保持部を備えていてもよい。また、釣針収容袋の表面又は裏面には、窓部の近傍に、当該窓部における釣針からの糸付き釣針の糸の長さが表示されていてもよい。また、釣針収容袋が、厚紙を袋状に折り曲げて形成した場合には、窓部は当該厚紙を切り欠いて形成してもよい。
【発明を実施するための最良の形態】
【０００９】
以下、本発明の一実施形態に係る釣針収容袋を図面に基づいて説明する。
【００１０】
この実施形態では、釣針収容袋１００は、図１に示すように、厚紙２０を長方形の袋状に折り曲げたものであり、釣針１１を引っ掛ける針掛部２１と、糸付き釣針１０の糸１２を保持する案内部２２と、糸付き釣針１０の糸１２を切断できるように形成された窓部２３ａ、２３ｂ、２３ｃとを備えている。
【００１１】
この実施形態では、釣針収容袋１００を展開すると、図２に示すように、釣針収容袋１００と略同じ形状を有する長方形の中央部４１と、当該中央部４１の左右および下側にそれぞれ折り目５１、５２、５３を介して、左側部４２と、右側部４３と、下側部４４とがそれぞれ延在している。図２は、釣針収容袋１００を展開し、裏側から見た図である。この厚紙２０は、折り目５１、５２、５３に沿って、左側部４２と、右側部４３と、下側部４４とをそれぞれ中央部４１の上に重ねられ、長方形の袋状に折り曲げる。
【００１２】
中央部４１は、図２に示すように、上部に切り欠き６１が形成されている。この実施形態では、この切り欠き６１には、糸付き釣針の釣針１１が引っ掛けられる針掛部２１が形成されている。当該切り欠き６１の下には、横長のスリット６２、６３が形成されている。この実施形態では、横長のスリット６２、６３は２本形成されているが、釣針１１の大きさに応じて、糸１２を通すスリット６２、６３を使い分けるとよい。
【００１３】
左側部４２と、右側部４３は、図３に示すように、それぞれ左右から中央部４１の裏側に重なるように折り曲げられる。下側部４４は、下側から中央部４１に重なるように折り曲げたときに、中央部４１の裏側に重なる形状を有し、下側部４４の下端は折り目５４を介して折曲部４５を有している。
【００１４】
この実施形態では、中央部４１と、下側部４４には、それぞれ案内部２２が複数形成されている。案内部２２は、糸付き釣針１０の糸１２を保持する部位であり、この実施形態では、円弧上のスリット７１と、当該スリット７１の端部に形成した丸い切り欠き７２が形成されている。この案内部２２は、図２に示すように、スリット７１から端部の丸い切り欠き７２に糸１２が通され、当該糸１２を保持している。この釣針収容袋１００は、上述した針掛部２１に糸付き釣針１０の釣針１１を引っ掛け、複数の案内部２２に所定の順番に糸付き釣針１０の糸１２を通すことにより、糸付き釣針１０の糸１２の経路を定めることができる。
【００１５】
この釣針収容袋１００には、複数の窓部２３ａ、２３ｂ、２３ｃが形成されている。窓部２３ａ、２３ｂ、２３ｃは、上述した案内部２２によって定められる糸付き釣針１０の糸１２の経路において、釣針１１からの糸付き釣針１０の糸１２の長さが予め定めた長さとなる位置に形成されている。窓部２３ａ、２３ｂ、２３ｃは、はさみなどの適当な刃物によって糸付き釣針１０の糸１２を切断できるように、所要の大きさで形成されている。この実施形態では、糸付き釣針１０の糸１２の経路上において、釣針１１から最も近い１つ目の窓部２３ａは、釣針１１からの糸１２の長さが１０ｃｍになるように設けられている。２つ目の窓部２３ｂは、釣針１１からの糸１２の長さが２０ｃｍになるように設けられている。３つ目の窓部２３ｃは、釣針１１からの糸１２の長さが３０ｃｍになるように設けられている。
【００１６】
また、この実施形態では、図２に示すように、当該窓部２３ａ、２３ｂ、２３ｃの両側に、糸１２を保持する保持部８０を備えている。この保持部８０はスリット８１と、スリット８１の端部に形成された丸い切り欠き８２で形成されている。当該保持部８０に糸１２を通すことによって、窓部２３ａ、２３ｂ、２３ｃの両側で糸１２を確実に保持することができる。
【００１７】
この釣針収容袋１００は、図２に示すように、釣針収容袋１００を展開した状態において、針掛部２１に釣針１１を引っ掛け、各案内部２２および保持部８０に所定の順に糸付き釣針１０の糸１２を挿通させている。詳しくは、この実施形態では、釣針１１は、釣針１１の先端が釣針収容袋１００の裏側に向くように、表側から引っ掛けられている。糸付き釣針１０の糸１２は、針掛部２１の下に形成したスリット６２（６３）から釣針収容袋１００の裏側へ通す。そして、図２に示すように、主に釣針収容袋１００の裏側に糸１２を通し、各案内部２２および保持部８０に糸１２を保持させている。次に、図３に示すように、釣針収容袋１００の左側部４２および右側部４３を順に中央部４１の裏側の上に重なるように折り曲げ、さらに、その上に下側部４４が重なるように折り曲げる。そして、図１に示すように、下側部４４の下端の折曲部４５を中央部４１の上端の裏側から表側へ折り曲げ、中央部４１と、左側部４２および右側部４３との間の隙間９０に挿し込んでいる。これによって、当該折曲部４５が隙間９０に引っ掛かって、釣針収容袋１００は袋状に折り畳まれた状態で維持される。
【００１８】
この釣針収容袋１００は、図１に示すように、糸１２が所定の長さで露出した窓部２３ａ、２３ｂ、２３ｃが、釣針収容袋１００の側縁部に形成されている。この窓部２３ａ、２３ｂ、２３ｃからは糸付き釣針１０の糸１２が露出している。この実施形態では、釣針収容袋１００の外側面において、窓部２３ａ、２３ｂ、２３ｃの近傍に、当該窓部２３ａ、２３ｂ、２３ｃにおける釣針からの糸付き釣針１０の糸１２の長さが表示されている。この釣針収容袋１００によれば、釣り人は、狙う魚種や、釣り場の状況によって、窓部２３ａ、２３ｂ、２３ｃのうち適当な窓部で糸１２を切ることによって、糸付き釣針１０の糸１２を窓部２３ａ、２３ｂ、２３ｃで設定された所望の長さに切断することができる。
【００１９】
なお、当該窓部２３ａ、２３ｂ、２３ｃで糸付き釣針１０の糸１２を切った場合には、糸付き釣針１０の糸１２の長さは厳密には数ミリ程度の誤差は生じる。しかしながら、かかる誤差は、釣り仕掛けの用途では、十分に許容されるべき誤差である。釣り人が糸付き釣針１０の一本一本について、それぞれ糸１２の長さを測って切断してもその程度の誤差は生じる場合がある。かかる測定および切断の手間を考慮すれば、この釣針収容袋１００によって、一度に糸付き釣針１０の糸１２の長さを所望の長さに調整できるメリットは釣り人（広くは仕掛けを作る作業者）にとって極めて大きい。
【００２０】
また、この実施形態では、当該窓部２３ａ、２３ｂ、２３ｃの両側に、糸１２を保持する保持部８０を備えている。この保持部８０によって、窓部２３ａ、２３ｂ、２３ｃの両側で糸１２が保持されているので、窓部２３ａ、２３ｂ、２３ｃで糸１２を切り易い。
【００２１】
以上、本発明の一実施形態に係る釣針収容袋を説明したが、本発明に係る釣針収容袋は上述した実施形態に限定されない。
【００２２】
例えば、釣針収容袋１００については、上述した形状、形態に限定されない。無論展開した際の形状、折り曲げ方等についても上述した形態に限定されない。
【００２３】
また、上述した実施形態では、窓部２３ａ、２３ｂ、２３ｃは、釣針収容袋１００の側縁部に形成されている。この場合、糸１２をはさみなどで切りやすいが、窓部２３ａ、２３ｂ、２３ｃは釣針収容袋１００の表面又は裏面に形成されていてもよい。また、窓部の数についても上述した実施形態に限定されない。
【００２４】
また、上述した実施形態では、窓部２３ａ、２３ｂ、２３ｃの両側に糸付き釣針の糸１２を保持する保持部８０を備えているが、窓部２３ａ、２３ｂ、２３ｃの近傍に案内部２２があるような場合においては、当該案内部２２によって、保持部８０と同様の機能を持たせてもよい。
【００２５】
また、上述した実施形態では、釣針収容袋１００の表面又は裏面において、窓部２３ａ、２３ｂ、２３ｃの近傍に、当該窓部２３ａ、２３ｂ、２３ｃにおける釣針１１からの糸付き釣針１０の糸１２の長さが表示されている。当該表示は、釣り人において糸１２の長さが分かり易くなるので望ましい。長さの表示の仕方は数字を記載することに限らず、種々の手法を用いることができる。また、上述した実施形態では、釣針収容袋１００は厚紙２０を袋状に折り曲げて形成されており、窓部２３ａ、２３ｂ、２３ｃは当該厚紙２０を切り欠いて形成されている。しかし、釣針収容袋の材質は、厚紙に限定されず、窓部の形成についても適宜変更可能である。
【図面の簡単な説明】
【００２６】
【図１】本発明の一実施形態に係る釣針収容袋を示す平面図。
【図２】本発明の一実施形態に係る釣針収容袋の展開図。
【図３】本発明の一実施形態に係る釣針収容袋の一部を折り曲げた図。
【符号の説明】
【００２７】
１００    釣針収容袋
１０    糸付き釣針
１１    釣針
１２    糸
２０    厚紙
２１    針掛部
２２    案内部
２３ａ〜２３ｃ    窓部
４１    中央部
４２    左側部
４３    右側部
４４    下側部
４５    折曲部
５１〜５４    折り目
８０    保持部
９０    隙間
【図１】
2008306971.tif 000003
【図２】
2008306971.tif 000004
【図３】
2008306971.tif 000005